(57)【要約】      （修正有）【課題】ボールチェーンまたはコードを必要とせずに、弾性巻取ユニットによってロールスクリーンの収納／放出を実現でき、微調整歯の構造によってユーザによるロールスクリーンの遮光性の微調整を支援することができるコードレス巻取取付座およびコードレスロールスクリーンを提供する。【解決手段】第１の台座および第２の台座の対向する端面には、それぞれ接続係止座３が設けられる。第１の台座には、第１の止め盤が回動可能に接続され、第２の台座内には、弾性巻取ユニットが回動可能に接設される。第２の台座には、その一端が弾性巻取ユニットに連動するように接続される接続シャフトが貫設され、第２の台座には、接続シャフトを介して連動するように、外周に微調整歯が一体的に開設された第２の止め盤７が係接され、第１の止め盤および第２の止め盤７のそれぞれには、係接柱９が設けられる。【選択図】図１
0003233047.tif 000002
【実用新案登録請求の範囲】
【請求項１】
対向して設けられる第１の台座（１）と第２の台座（２）とを含むコードレス巻取取付座であって、
前記第１の台座（１）および第２の台座（２）の対向する端面には、それぞれ接続係止座（３）が設けられ、
前記第１の台座（１）には、第１の止め盤（４）が回動可能に接続され、
前記第２の台座（２）内には、弾性巻取ユニット（５）が回動可能に接設されており、
前記第２の台座（２）には、その一端が弾性巻取ユニット（５）に連動するように接続される接続シャフト（６）が貫設され、
前記第２の台座（２）には、接続シャフト（６）を介して連動するように、外周に微調整歯（８）が一体的に開設された第２の止め盤（７）が係接され、
前記第１の止め盤（４）および第２の止め盤（７）のそれぞれには、係接柱（９）が設けられる、
ことを特徴とするコードレス巻取取付座。
【請求項２】
前記弾性巻取ユニット（５）は、第１の巻取ローラ（５-１）と、第２の巻取ローラ（５-２）と、コイルバネ（５-３）とを含み、
前記第１の巻取ローラ（５-１）および第２の巻取ローラ（５-２）は、それぞれ第２の台座（２）内に回動可能に接続され、
前記コイルバネ（５-３）は、その一端が第１の巻取ローラ（５-１）に巻回されるとともに、他端が第２の巻取ローラ（５-２）に巻回され、
前記接続シャフト（６）は、第２の巻取ローラ（５-２）の中心に一体的に設けられる、
ことを特徴とする請求項１に記載のコードレス巻取取付座。
【請求項３】
前記第２の台座（２）の内壁には、第１の巻取ローラ（５-１）および第２の巻取ローラ（５-２）のそれぞれに対応する箇所にリミット柱（２-１）が一体的に設けられ、
前記第１の巻取ローラ（５-１）および第２の巻取ローラ（５-２）は、それぞれリミット柱（２-１）に回動可能に外嵌され、
前記接続シャフト（６）の端部は、第２の巻取ローラ（５-２）の中心に一体的に接続され、
前記第２の台座（２）には、接続シャフト（６）と対応する箇所に接続シャフト（６）が挿通可能な貫通孔（２-２）が設けられる、
ことを特徴とする請求項２に記載のコードレス巻取取付座。
【請求項４】
スクリーン体（１０）と、スクリーン体（１０）が巻き取られる上部巻取軸（１１）と、引き下げシャフト（１２）と、横梁（１３）とを備えており、
前記上部巻取軸（１１）の両端は、請求項１乃至３のいずれか１項に記載のコードレス巻取取付座における係接柱（９）に係接され、
前記横梁（１３）の両端は、それぞれコードレス巻取取付座における接続係止座（３）に係接固定され、
前記スクリーン体（１０）は、その一端が上部巻取軸（１１）に巻き取られるとともに、他端が引下げシャフト（１２）を迂回して横梁（１３）に固定され、
前記スクリーン体（１０）は、若干の遮光ストリップ（１０-１）と光透過ストリップ（１０-２）とが交互に構成される、
ことを特徴とするコードレスロールスクリーン。
【請求項５】
前記引下げシャフト（１２）は、シャフトハウジング（１２-１）と、引下げ軸（１２-２）とを含み、
前記シャフトハウジング（１２-１）は、その上部が開放されるとともに、その外部に引下げ取っ手（１２-３）が係接され、
前記引下げ軸（１２-２）は、シャフトハウジング（１２-１）内に回動可能に架設される、
ことを特徴とする請求項４に記載のコードレスロールスクリーン。
【考案の詳細な説明】
【技術分野】
【０００１】
本考案は、カーテンの技術分野に関し、具体的には、コードレス巻取取付座およびコードレスロールスクリーンに関する。
【背景技術】
【０００２】
従来、カーテンは、市場ニーズに応えるためにその構造や様式が多様化されており、主に日射遮蔽および装飾の効果を達成できるように部屋、オフィスの戸や窓などの場所に取り付けられている。また、従来では、ロールスクリーンは、巻取ドラムに巻き取られ、その両端が取付座によって横梁に接続され、そのうちの１つの取付座にフライホイールが設けられ、ボールチェーンとの協働によって巻取ドラムの巻き取りを実現することにより、ロールスクリーンの巻き取りや巻き出しを達成している。しかし、ボールチェーンは、力を入れて引っ張る時に破断しやすく、ボールチェーンがカーテンの両側に落下すると、美観に影響を与えるとともに安全上の問題が存在する。そして、従来では、ロールスクリーンの微調整は、モータによって実現されることが多い。これにより、モータの取付が大きな取付空間を占用し、ロールスクリーンの取付の美観に影響を与える。
【考案の概要】
【考案が解決しようとする課題】
【０００３】
本考案は、上記の背景技術に存在しているボールチェーンによってロールスクリーンの巻き取りや巻き出しを制御する場合に破断しやすく、安全上にリスクが存在するとともに、ロールスクリーンの微調整が不足するという問題を解決できるコードレス巻取取付座およびコードレスロールスクリーンを提供することを目的とする。
【課題を解決するための手段】
【０００４】
上記の目的を達成するために、本考案は、対向して設けられる第１の台座と第２の台座とを含むコードレス巻取取付座であって、前記第１の台座および第２の台座の対向する端面には、それぞれ接続係止座が設けられ、前記第１の台座には、第１の止め盤が回動可能に接続され、前記第２の台座内には、弾性巻取ユニットが回動可能に接設されており、前記第２の台座には、その一端が弾性巻取ユニットに連動するように接続される接続シャフトが貫設され、前記第２の台座には、接続シャフトを介して連動するように、外周に微調整歯が一体的に開設された第２の止め盤が係接され、前記第１の止め盤および第２の止め盤のそれぞれには、係接柱が設けられるコードレス巻取取付座を提供する。
【０００５】
本考案は、従来技術と比べて、本考案における取付座は、ロールスクリーンと横梁の取付を実現可能であるだけではなく、ボールチェーンまたはコードを必要とせずに弾性巻取ユニットによってロールスクリーンの収納/放出を実現することもでき、また、微調整歯の構造によってユーザによるロールスクリーンの遮光性の微調整を支援することができるという有益な効果を有する。
【０００６】
好ましくは、前記弾性巻取ユニットは、第１の巻取ローラと、第２の巻取ローラと、コイルバネとを含み、前記第１の巻取ローラおよび第２の巻取ローラは、それぞれ第２の台座内に回動可能に接続され、前記コイルバネは、その一端が第１の巻取ローラに巻回されるとともに、他端が第２の巻取ローラに巻回され、前記接続シャフトは、第２の巻取ローラの中心に一体的に設けられる。これにより、接続シャフトによって第２の巻取ローラを回動させて、第１の巻取ローラを連動させることにより、ロールスクリーンの収納/放出を実現することができる。また、コイルバネは、ロールスクリーンの巻き取りに寄与する。
【０００７】
好ましくは、前記第２の台座の内壁には、第１の巻取ローラおよび第２の巻取ローラのそれぞれに対応する箇所にリミット柱が一体的に設けられ、前記第１の巻取ローラおよび第２の巻取ローラは、それぞれリミット柱に回動可能に外嵌され、前記接続シャフトの端部は、第２の巻取ローラの中心に一体的に接続され、前記第２の台座には、接続シャフトと対応する箇所に接続シャフトが挿通可能な貫通孔が設けられる。
【０００８】
また、本考案は、スクリーン体と、スクリーン体が巻き取られる上部巻取軸と、引き下げシャフトと、横梁とを備えており、前記上部巻取軸の両端は、上記のいずれか１つに記載のコードレス巻取取付座における係接柱に係接され、前記横梁の両端は、それぞれコードレス巻取取付座における接続係止座に係接固定され、前記スクリーン体は、その一端が上部巻取軸に巻き取られるとともに、他端が引下げシャフトを迂回して横梁に固定されるコードレスロールスクリーンを提供する。この場合、ロールスクリーンは、引下げシャフトを介して二層構造を形成する。
【０００９】
好ましくは、前記スクリーン体は、若干の遮光ストリップと光透過ストリップとが交互に構成される。
これにより、遮光部と光透過部の位置を調整することによって、遮光性を調整するという効果を実現することができる。
【００１０】
好ましくは、前記引下げシャフトは、シャフトハウジングと引下げ軸とを含み、前記シャフトハウジングは、その上部が開放されるとともに、その外部に引下げ取っ手が係接され、前記引下げ軸は、シャフトハウジング内に回動可能に架設され、前記スクリーン体は、シャフトハウジングの上部の開口から進入して引下げ軸を迂回した後、シャフトハウジングの上部の開口から引き出されて横梁に固定される。これにより、二層スクリーン構造を実現することができ、二層スクリーンの遮光ストリップと光透過ストリップの重なり程度に応じて異なる遮光または透光程度を実現することができる。
【図面の簡単な説明】
【００１１】
【図１】本考案におけるコードレス巻取取付座の構造を示す図である。
【図２】本考案における第２の台座の分解図である。
【図３】本考案におけるコードレスロールスクリーンの構造を示す図である。
【図４】本考案におけるコードレスロールスクリーンの分解図である。
【図５】本考案における引下げシャフトの構造を示す図である。
【考案を実施するための形態】
【００１２】
以下、本考案の実施例における技術方案について、本考案の実施例の図面を参照しながら明瞭かつ完全に説明するが、ここで述べる実施例は、全ての実施例ではなく、あくまでも本考案の一部の実施例に過ぎないことは明らかなことである。なお、当業者が本考案の実施例に基づいて、創造的な労働をせずに得られるあらゆる他の実施例は、いずれも本考案の保護範囲に含まれる。
【００１３】
図１-図２に示すように、本考案が提供する技術方案は、対向して設けられた第１の台座１および第２の台座２を含むコードレス巻取取付座に関するものである。
【００１４】
当該第１の台座１および第２の台座２の対向する端面の上部には、それぞれ接続係止座３が設けられ、当該接続係止座３には、接続係止座３に垂直となるとともに互いに平行な２本のリミット凸条が一体的に設けられ、前記第１の台座１には、さらに第１の止め盤４が回動可能に接続され、前記第２の台座２内には、弾性巻取ユニット５が回動可能に接設されており、当該第２の台座２には、貫通孔２-２が開設され、当該貫通孔２-２には、接続シャフト６が回動可能に貫設され、当該接続シャフト６の一端は、弾性巻取ユニット５の回転軸心に接続され、前記第２の台座２には、接続シャフト６の他端に接続シャフト６と連動する第２の止め盤７が係接され、当該第２の止め盤７の外周には、微調整歯８が均一に開設され、前記第１の止め盤４および第２の止め盤７のそれぞれには、係接柱９が一体的に設けられる。
【００１５】
ここで、前記弾性巻取ユニット５は、第１の巻取ローラ５-１と、第２の巻取ローラ５-２と、コイルバネ５-３とを含み、前記第２の台座２の内壁には、第１の巻取ローラ５-１および第２の巻取ローラ５-２のそれぞれに対応してリミット柱２-１が一体的に設けられ、前記第１の巻取ローラ５-１および第２の巻取ローラ５-２は、それぞれリミット柱２-１に回動可能に外嵌され、コイルバネ５-３は、その一端が第１の巻取ローラ５-１に巻回されるとともに、他端が第２の巻取ローラ５-２に巻回される。また、前記接続シャフト６は、第２の巻取ローラ５-２の回転軸心に一体的に接続される。これにより、コイルバネ５-３によって連動可能に接続される第１の巻取ローラ５-１および第２の巻輪５-２の協働によって、ロールスクリーンのコードレス巻き取り効果を実現することができる。 
【００１６】
図３-図５に示すように、コードレスロールスクリーンは、スクリーン体１０と、スクリーン体１０が巻き取られる上部巻取軸１１と、引き下げシャフト１２と、横梁１３とを備えており、前記横梁１３の断面は、上記コードレス巻取取付座の接続係止座３およびリミット凸条とマッチングする截口となり、前記上部巻取軸１１の両端は、コードレス巻取取付座の係接柱９とマッチングする截口となり、前記上部巻取軸１１の両端は、それぞれ接続係止座３に係接固定される。
【００１７】
このように、上部巻取軸１１の両端がそれぞれ係接柱９により係接固定されることにより、上部巻取軸１１と横梁１３の快速な組立が完了する。また、スクリーン体１０は、その一端が上部巻取軸１１に巻き取られるとともに、他端が引下げシャフト１２を迂回して横梁１３に固定接続される。これにより、引下げシャフト１２を引っ張ることにより上部巻取軸１１を回動させてロールスクリーンを巻き出させ、その後、上部巻取軸１１が弾性巻取ユニット５により逆方向に回転してスクリーン体１０を巻き上げる。
【００１８】
なお、ロールスクリーンの遮光性または光透過性を調整できるという効果を達成するために、前記スクリーン体１０は、若干の遮光ストリップ１０-１および光透過ストリップ１０-２で交互に構成される。また、上記スクリーン体１０が引下げシャフト１２を迂回して横梁１３に固定接続されることにより形成された二重スクリーン構造は、スクリーン体１０の構成や構造と組み合わせることによって、２層間の遮光ストリップ１０-１と光透過ストリップ１０-２との重畳またはずらしを実現することができ、ロールスクリーンの異なる光透過効果を達成することができる。この場合、正確な調整を実現しようとすると、ユーザーは、微調整歯８を有する第２の止め盤７を回転させることによって実現してもよい。また、当該微調整歯８は、さらに滑り止め効果を有する。
【００１９】
ここで、前記引下げシャフト１２は、シャフトハウジング１２-１と、引下げ軸１２-２とを含み、前記シャフトハウジング１２-１の上部が開放され、当該シャフトハウジング１２-１の外部に引下げ取っ手１２-３が係接され、前記引下げ軸１２-２がシャフトハウジング１２-１内に回動可能に架設され、前記スクリーン体１０は、シャフトハウジング１２-１の上部の開口から進入して引下げ軸１２-２を迂回した後、シャフトハウジング１２-１の上部の開口から引き出されて横梁１３に固定される。
【００２０】
なお、前述の実施例を参照して本考案を詳細に説明したが、当業者にとっては、前述の各実施例に記載された技術方案を修正し、またはそのうちの一部の技術特徴に対して同等な置換を行うことが可能である。また、本考案の精神および原則内で行われたいかなる修正、同等な置換、改良等は、いずれも本考案の保護範囲内に含まれるべきである。
【符号の説明】
【００２１】
１…第１の台座、２…第２の台座、２-１…リミット柱、２-２…貫通孔、３…接続係止座、４…第１の止め盤、５…弾性巻取ユニット、５-１…第１の巻取ローラ、５-２…第２の巻取ローラ、５-３…コイルバネ、６…接続シャフト、７…第２の止め盤、８…微調整歯、９…係接柱、１０…スクリーン体、１０-１…遮光ストリップ、１０-２…光透過ストリップ、１１…上部巻取軸、１２…引下げシャフト、１２-１…シャフトハウジング、１２-２…引下げ軸、１２-３…引下げ取っ手、１３…横梁。
【図１】
0003233047.tif 000003
【図２】
0003233047.tif 000004
【図３】
0003233047.tif 000005
【図４】
0003233047.tif 000006
【図５】
0003233047.tif 000007